(57)【要約】【課題】使用環境の選択の自由度を高めることができる紫外線照射装置を提供する。【解決手段】２つの支持面を押圧することで支持される紫外線照射装置１であって、長尺状の筐体１０と、筐体１０に設けられた、紫外線を発する光源２０と、光源２０の発光及び非発光を切り替えるスイッチ３０とを備え、筐体１０は、長手方向に伸縮可能な本体部１１と、本体部１１の長手方向の両端にそれぞれ設けられ、２つの支持面のそれぞれを押圧する第１押圧部１２及び第２押圧部１３とを備える。【選択図】図１
2016055237.tif 000002
【特許請求の範囲】
【請求項１】
２つの支持面を押圧することで支持される紫外線照射装置であって、
長尺状の筐体と、
前記筐体に設けられた、紫外線を発する光源と、
前記光源の発光及び非発光を切り替えるスイッチとを備え、
前記筐体は、
長手方向に伸縮可能な本体部と、
前記本体部の長手方向の両端にそれぞれ設けられ、前記２つの支持面のそれぞれを押圧する２つの押圧部とを備える
紫外線照射装置。
【請求項２】
前記紫外線照射装置は、さらに、前記スイッチが発光の操作をされてから所定期間経過後に前記光源を発光させる制御回路を備える
請求項１に記載の紫外線照射装置。
【請求項３】
前記紫外線照射装置は、さらに、人間の存在を検知するための人感センサを備え、
前記制御回路は、前記人感センサが人間を検知した場合に、前記光源を非発光にする
請求項２に記載の紫外線照射装置。
【請求項４】
前記紫外線照射装置には、電池が取付可能であり、
前記光源は、前記紫外線照射装置に取り付けられた電池から電力が供給されることで、前記紫外線を発する
請求項１に記載の紫外線照射装置。
【請求項５】
前記光源は、前記長手方向に沿ってライン状に前記紫外線を発する
請求項１〜４のいずれか１項に記載の紫外線照射装置。
【発明の詳細な説明】
【技術分野】
【０００１】
本発明は、紫外線照射装置に関する。
【背景技術】
【０００２】
従来、カビなどの菌類の繁殖を抑制するために紫外線を照射する紫外線照射装置が知られている。紫外線照射装置には、大きく分けて、予め定められた設置場所に設置される固定式の紫外線照射装置と、持ち運び可能な携帯型の紫外線照射装置とがある（例えば、特許文献１及び２参照）。
【先行技術文献】
【特許文献】
【０００３】
【特許文献１】特開２０１４−８３４７０号公報
【特許文献２】特開２００５−１１８２０７号公報
【発明の概要】
【発明が解決しようとする課題】
【０００４】
しかしながら、上記従来の紫外線照射装置では、使用環境の選択の自由度が低いという課題がある。
【０００５】
固定式の紫外線照射装置では、予め定められた設置場所に設置されるために、一度設置した後に、設置場所を変更することが難しい。このため、固定式の紫外線照射装置は、任意の場所に紫外線を照射することができない。
【０００６】
一方で、携帯型の紫外線照射装置では、任意の場所を照射することができる。しかしながら、紫外線は人体に悪影響を与えるため、その使用環境は制限される。人間が紫外線照射装置を持ちながら紫外線の照射を行うのは、人体に与える影響を考えると現実的ではなく、紫外線照射装置は、どこかに設置可能であることが好ましい。
【０００７】
このように、紫外線照射装置を使用する際には、使用する場所及び態様などの使用環境が制限されてしまう。
【０００８】
そこで、本発明は、使用環境の選択の自由度を高めることができる紫外線照射装置を提供することを目的とする。
【課題を解決するための手段】
【０００９】
上記目的を達成するため、本発明の一態様に係る紫外線照射装置は、２つの支持面を押圧することで支持される紫外線照射装置であって、長尺状の筐体と、前記筐体に設けられた、紫外線を発する光源と、前記光源の発光及び非発光を切り替えるスイッチとを備え、前記筐体は、長手方向に伸縮可能な本体部と、前記本体部の長手方向の両端にそれぞれ設けられ、前記２つの支持面のそれぞれを押圧する２つの押圧部とを備える。
【発明の効果】
【００１０】
本発明によれば、使用環境の選択の自由度を高めることができる。
【図面の簡単な説明】
【００１１】
【図１】本発明の実施の形態に係る紫外線照射装置の概観図である。
【図２】本発明の実施の形態に係る紫外線照射装置の断面図である。
【図３】本発明の実施の形態に係る紫外線照射装置の機能構成を示すブロック図である。
【図４】本発明の実施の形態に係る紫外線照射装置の設置方法を示す図である。
【図５】本発明の実施の形態に係る紫外線照射装置の使用例を示す図である。
【図６】本発明の実施の形態に係る紫外線照射装置の別の使用例を示す図である。
【図７】本発明の実施の形態の変形例に係る紫外線照射装置の断面図である。
【発明を実施するための形態】
【００１２】
以下では、本発明の実施の形態に係る紫外線照射装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。また、各図において、同じ構成部材については同じ符号を付している。
【００１４】
（実施の形態）
［紫外線照射装置］
まず、本実施の形態に係る紫外線照射装置の構成について、図１及び図２を用いて説明する。図１は、本実施の形態に係る紫外線照射装置１の概観図である。図２は、本実施の形態に係る紫外線照射装置１の断面図であり、図１に示すＡ−Ａ線における断面を示している。
【００１５】
本実施の形態に係る紫外線照射装置１は、２つの支持面を押圧することで支持されて、紫外線を発する装置である。２つの支持面は、具体的には、互いに対向する面であり、例えば、建材又は家具などの側面（壁面）である。本実施の形態では、紫外線照射装置１は、長尺状の棒であり、２つの支持面の間につっぱることで、当該２つの支持面の間に支持される。つまり、紫外線照射装置１は、簡単に言うと、紫外線を発するつっぱり棒である。
【００１６】
したがって、本実施の形態に係る紫外線照射装置１は、持ち運び可能で、かつ、所定の支持面の間に固定することが可能である。例えば、壁と壁との間の色々な場所に紫外線照射装置１を固定することができる。
【００１７】
図１及び図２に示すように、紫外線照射装置１は、筐体１０と、光源２０と、スイッチ３０と、人感センサ５０とを備える。また、紫外線照射装置１には、電池４０が取付可能である。
【００１８】
以下、各構成部材について、詳細を説明する。
【００１９】
［筐体］
筐体１０は、本実施の形態に係る紫外線照射装置１の外囲器であり、長尺状の筐体である。図１に示すように、筐体１０は、本体部１１と、第１押圧部１２と、第２押圧部１３とを備える。
【００２０】
本体部１１は、長手方向に伸縮可能である。具体的には、本体部１１は、伸縮可能な棒状部材であり、長手方向に伸縮して所定の長さで固定することができる。本実施の形態では、図１に示すように、本体部１１は、第１筒状部１１０と、第２筒状部１２０と、固定部１３０とを備える。
【００２１】
第１筒状部１１０は、長尺状の略円筒である。第１筒状部１１０の長手方向の一方の端部には、第２押圧部１３が設けられ、他方の端部には、固定部１３０が設けられている。また、第１筒状部１１０の外側面には、スイッチ３０及び人感センサ５０が設けられている。さらに、第１筒状部１１０は、内部に電池４０を着脱可能に備える。
【００２２】
第１筒状部１１０は、例えば、アクリル（ＰＭＭＡ）又はポリカーボネート（ＰＣ）などの透光性樹脂材料を用いた射出成形により作製される。あるいは、第１筒状部１１０は、ガラスなどから形成されてもよい。
【００２３】
図２に示すように、第１筒状部１１０の内部には、光源２０が設けられている。光源２０から発せられた紫外線は、第１筒状部１１０を通過して外部に出射される。
【００２４】
第２筒状部１２０は、第１筒状部１１０より細い長尺状の略円筒である。第２筒状部１２０の長手方向の一方の端部には、第１押圧部１２が設けられ、他方の端部には、固定部１３０が設けられている。
【００２５】
図２に示すように、第２筒状部１２０は、第１筒状部１１０の内部に挿入可能である。第２筒状部１２０が第１筒状部１１０に深く挿入された場合に、紫外線照射装置１の長さは短くなり、第２筒状部１２０が第１筒状部１１０に浅く挿入された場合に、紫外線照射装置１の長さが長くなる。つまり、第２筒状部１２０の第１筒状部１１０への挿入量を調節することで、紫外線照射装置１の長さを調節することができる。
【００２６】
第２筒状部１２０は、例えば、第１筒状部１１０と同じ材料から形成することができる。
【００２７】
固定部１３０は、第１筒状部１１０と第２筒状部１２０とを固定するための部材である。固定部１３０は、略円筒である。固定部１３０の一方の端部には、第１筒状部１１０が挿入され、他方の端部には、第２筒状部１２０が挿入される。固定部１３０は、例えば、第１筒状部１１０に固定されている。
【００２８】
固定部１３０は、略円筒の軸を中心に回転させることができる。固定部１３０を所定の方向（第１方向）に回転させることで、固定部１３０は、第２筒状部１２０を締め付ける。これにより、第２筒状部１２０の長手方向への移動を規制し、第１筒状部１１０と第２筒状部１２０とを固定することができる。
【００２９】
固定部１３０を、第１方向とは反対の方向（第２方向）に回転させることで、第２筒状部１２０の締め付けを解放し、第２筒状部１２０の第１筒状部１１０に対する出し入れを行うことができる。これにより、紫外線照射装置１は、長手方向に伸縮可能になる。
【００３０】
固定部１３０は、例えば、第１筒状部１１０と同じ材料から形成することができる。
【００３１】
第１押圧部１２及び第２押圧部１３は、本体部１１の長手方向の両端に設けられて、２つの支持面のそれぞれを押圧する。本実施の形態では、第１押圧部１２は、第２筒状部１２０の、固定部１３０とは反対側の端部に設けられている。第２押圧部１３は、第１筒状部１１０の、固定部１３０とは反対側の端部に設けられている。
【００３２】
第１押圧部１２及び第２押圧部１３はそれぞれ、有底筒体である。第１押圧部１２の底及び第２押圧部１３の底がそれぞれ、２つの支持面の各々を押圧する押圧面である。第１押圧部１２及び第２押圧部１３がそれぞれ、２つの支持面を押圧することで、支持面と押圧面との間に摩擦力が発生する。当該摩擦力により、紫外線照射装置１がずれ落ちるのを抑制し、２つの支持面の間に紫外線照射装置１は支持される。
【００３３】
第１押圧部１２及び第２押圧部１３のそれぞれは、円錐台状の有底筒体であり、底（押圧面）に向かって漸次外径が大きくなるように形成されている。これにより、押圧面の面積を大きくすることができるので、支持面との接触面積を大きくすることができる。したがって、支持面と押圧面との間の摩擦力を大きくすることができ、紫外線照射装置１がずれ落ちるのをさらに抑制することができる。
【００３４】
第１押圧部１２及び第２押圧部１３は、例えば、第１筒状部１１０と同じ材料から形成することができる。あるいは、第１押圧部１２及び第２押圧部１３は、ゴムなどの弾性を有する材料から形成してもよい。これにより、支持面と押圧面との間の摩擦力を大きくすることができ、紫外線照射装置１がずれ落ちるのをさらに抑制することができる。
【００３５】
［光源］
光源２０は、紫外線照射装置１のＵＶ（Ｕｌｔｒａ  Ｖｉｏｌｅｔ）光源であり、筐体１０に設けられて、紫外線を発する。光源２０は、例えば、紫外線発光素子を有する発光モジュールであり、所定の波長の紫外線を放出する。光源２０が発する紫外線の波長は、例えば、２００ｎｍ〜３８０ｎｍである。
【００３６】
光源２０は、筐体１０の内部に配置される。光源２０は、図２に示すように、発光素子２１と、発光素子２１が実装された基板２２とを備える。本実施の形態では、光源２０は、ＳＭＤ（Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子が用いられた発光モジュールである。なお、光源２０は、基板２２にＬＥＤのベアチップが直接実装されたＣＯＢ（Ｃｈｉｐ  Ｏｎ  Ｂｏａｒｄ）型の発光モジュールでもよい。
【００３７】
発光素子２１は、ＳＭＤ型のＬＥＤ素子である。具体的には、発光素子２１は、樹脂成形された容器２１ｃのキャビティの中にＬＥＤチップ２１ａが実装され、当該キャビティ内に樹脂材料２１ｂが封入されたパッケージ型のＬＥＤ素子である。
【００３８】
基板２２としては、例えば、セラミック基板、樹脂基板又はメタルベース基板を用いることができる。基板２２の形状は、例えば、長尺状の矩形であるが、いかなるものでもよい。
【００３９】
基板２２は、その長手方向が筐体１０の長手方向に略一致するように、第１筒状部１１０の内面に接着剤２３によって固定されている。接着剤２３は、例えば、シリコーン樹脂などである。このとき、例えば、基板２２の長手方向に沿って、複数の発光素子２１がライン状に配置されている。これにより、第１筒状部１１０の長手方向に沿って、ライン状に光を取り出すことができる。
【００４０】
第１筒状部１１０には、上述したように、第２筒状部１２０が挿入される空間が必要である。このため、図２に示すように、光源２０は、第１筒状部１１０の中心（軸）から偏心した位置に設けられている。
【００４１】
なお、第１筒状部１１０内には、複数の光源２０が設けられてもよい。例えば、図２で示す例では、主に基板２２の発光素子２１が設けられた側（紙面下方）に紫外線が出射されるが、複数の光源２０を第１筒状部１１０の内面に沿って設けることで、様々な方向に紫外線を出射することができる。例えば、図２に示す断面における上下左右に４つの光源２０を配置することで、略全方向（３６０度）に紫外線を照射することができる。
【００４２】
［スイッチ］
スイッチ３０は、光源２０の発光及び非発光を切り替えるスイッチである。ユーザによるスイッチ３０の操作に基づいて、スイッチ３０は、光源２０の発光及び非発光を切り替える。なお、スイッチ３０は、発光及び非発光に限らず、光源２０からの紫外線の強度及び波長の変換を操作してもよい。
【００４３】
本実施の形態では、スイッチ３０は、第１筒状部１１０の側面に設けられている。なお、スイッチ３０は、筐体１０に設けられていればよく、例えば、第２筒状部１２０、固定部１３０、第１押圧部１２又は第２押圧部１３などに設けられていてもよい。
【００４４】
［電池］
電池４０は、光源２０を発光させるための電力源である。電池４０は、例えば、紫外線照射装置１に着脱可能に設けられる。つまり、電池４０は、容量が不足した場合は、別の電池に取り替えることができる。
【００４５】
電池４０は、一次電池及び二次電池のいずれでもよい。また、電池４０が二次電池の場合、電池４０は、紫外線照射装置１から取り外すことなく充電できてもよい。例えば、紫外線照射装置１は、電池４０を充電するための受電部（例えば、ＡＣプラグなど）を備えてもよい。
【００４６】
本実施の形態では、電池４０は、第１筒状部１１０内に取り付けることが可能である。なお、電池４０は紫外線照射装置１に取付可能であればよく、例えば、第２筒状部１２０内などに取付可能でもよい。
【００４７】
［人感センサ］
人感センサ５０は、人間の存在を検知するためのセンサである。人感センサ５０は、紫外線照射装置１の周囲に人間が存在するか否かを検知する。具体的には、人感センサ５０は、少なくとも紫外線が照射される範囲内に人間が存在するか否かを検知する。例えば、人感センサ５０は、赤外線を検知することで、人間の存在を検知する。
【００４８】
本実施の形態では、人感センサ５０は、第１筒状部１１０の側面に設けられている。なお、人感センサ５０は、紫外線照射装置１の周囲の人間を検知できればよく、例えば、第２筒状部１２０の側面など、設けられる場所には限定されない。
【００４９】
［機能構成］
続いて、本実施の形態に係る紫外線照射装置１の機能構成について、図３を用いて説明する。図３は、本実施の形態に係る紫外線照射装置１の機能構成を示すブロック図である。
【００５０】
図３に示すように、紫外線照射装置１は、発光部２００と、制御部２１０と、電源部２２０と、操作部２３０と、検知部２４０とを備える。
【００５１】
発光部２００は、光源２０に相当する。具体的には、発光部２００は、制御部２１０による制御に基づいて、紫外線を出射する。
【００５２】
制御部２１０は、制御回路（図１及び図２には示していない）に相当し、光源２０の発光及び非発光を制御する。具体的には、制御部２１０は、電源部２２０からの電力の供給のオン及びオフを制御する。例えば、操作部２３０が発光の操作を受けた場合には、制御部２１０は、電源部２２０から電力を発光部２００に供給して、発光部２００を発光させる。また、操作部２３０が非発光の操作を受けた場合には、制御部２１０は、電源部２２０からの発光部２００への電力の供給を遮断することで、発光部２００を非発光にする。
【００５３】
なお、制御部２１０は、発光部２００からの紫外線の強度及び紫外線の波長を制御してもよい。例えば、制御部２１０は、電源部２２０からの電力の供給量を調節することで、発光部２００の紫外線量を変化させることができる。
【００５４】
制御部２１０は、計時部２１１を備える。計時部２１１は、タイマであり、時間を計測する。制御部２１０は、操作部２３０が発光の操作を受けてから所定期間経過後に発光部２００を発光させる。具体的には、スイッチ３０が発光の操作をされても、一定期間は、紫外線は照射されない。当該期間は、例えば、数秒〜数分以内である。
【００５５】
これにより、スイッチ３０を操作した人間は、当該期間内に紫外線照射装置１の照射範囲内から離れることができる。よって、紫外線照射装置１から発せられる紫外線から人間を保護することができる。
【００５６】
なお、制御部２１０は、紫外線の照射を開始してから、予め設定された照射期間が経過したときに紫外線の照射を停止してもよい。これにより、スイッチ３０が操作されなくても一定期間経過後には紫外線の照射を停止することができる。よって、紫外線の照射量を制御することができる。これにより、紫外線が過度に照射されるのを抑制することができ、建材又は家具などに与える影響を抑制することができる。
【００５７】
また、制御部２１０は、検知部２４０が人間を検知した場合に、発光部２００を非発光にする。これにより、人間が紫外線を浴びるのを抑制し、安全に紫外線照射装置１を利用することができる。
【００５８】
電源部２２０は、電池４０に相当する。具体的には、電源部２２０は、発光部２００を発光させるための電力を発光部２００に供給する。なお、電源部２２０は、充電機能を有してもよい。
【００５９】
操作部２３０は、スイッチ３０に相当する。具体的には、操作部２３０は、ユーザからの紫外線照射装置１の発光及び非発光の操作を受け付ける。
【００６０】
検知部２４０は、人感センサ５０に相当する。具体的には、検知部２４０は、紫外線照射装置１の周囲に人間が存在するか否かを検知する。検知結果は、制御部２１０に出力される。
【００６１】
［使用例］
続いて、本実施の形態に係る紫外線照射装置１の使用例について説明する。
【００６２】
まず、図４を用いて、紫外線照射装置１の設置方法を説明する。図４は、本実施の形態に係る紫外線照射装置１の設置方法を示す図である。ここでは、支持面３０１と支持面３０２との間に紫外線照射装置１をつっぱらせる例について説明する。
【００６３】
本実施の形態では、支持面３０１及び支持面３０２は、互いに平行になるように配置された面である。具体的には、支持面３０１及び支持面３０２は、建材又は家具などの側面（壁面）である。
【００６４】
図４の（ａ）に示すように、固定部１３０を第１方向（例えば、右回り）に回転させることで、固定部１３０による第２筒状部１２０の締め付けを緩める。これにより、第２筒状部１２０を第１筒状部１１０に出し入れすることができる。すなわち、紫外線照射装置１の長さを変更することができる。
【００６５】
次に、図４の（ｂ）に示すように、第２筒状部１２０を伸ばす。具体的には、紫外線照射装置１の長さが支持面３０１と支持面３０２との間の距離と略同じ長さになるまで、第２筒状部１２０を第１筒状部１１０から引き出す。
【００６６】
最後に、図４の（ｃ）に示すように、支持面３０２を押圧するように第１押圧部１２を支持面３０２に当接させ、かつ、支持面３０１を押圧するように第２押圧部１３を支持面３０１に当接させた状態で、固定部１３０を第１方向とは反対の第２方向（例えば、左回り）に回転させる。これにより、固定部１３０が第２筒状部１２０を締め付けることで、第２筒状部１２０を第１筒状部１１０に対して固定することができ、紫外線照射装置１の長さを固定することができる。
【００６７】
なお、紫外線照射装置１は、内部に付勢バネを備えていてもよい。この場合、紫外線照射装置１の長さが支持面３０１と支持面３０２との間の距離より少し長くなるように、第２筒状部１２０を第１筒状部１１０から引き出す。その後、固定部１３０を第２方向に回転させることで、紫外線照射装置１の長さを固定する。
【００６８】
そして、付勢バネを縮めるようにして紫外線照射装置１の長さを支持面３０１と支持面３０２との間の距離より短くなるように押し込みながら、支持面３０１と支持面３０２との間に紫外線照射装置１を配置する。紫外線照射装置１を縮める力を解放すると、付勢バネによって紫外線照射装置１が元の長さに戻ろうとして、第１押圧部１２が支持面３０２を押圧し、第２押圧部１３が支持面３０１を押圧する。これにより、付勢バネによって常に支持面３０１及び３０２を押圧する力が加えられるので、紫外線照射装置１が落下しにくくなる。
【００６９】
このようにして、紫外線照射装置１を支持面３０１と支持面３０２との間につっぱらせることで配置することができる。支持面３０１及び支持面３０２は互いに対向していればよく、紫外線照射装置１は、様々な場所に配置することができる。
【００７０】
図５及び図６はそれぞれ、本実施の形態に係る紫外線照射装置１の使用例を示す図である。
【００７１】
例えば、図５に示すように、浴室４００の中に紫外線照射装置１を配置することができる。このとき、支持面３０１及び３０２は、浴室４００の内面である。
【００７２】
これによれば、紫外線照射装置１は、浴室４００の内部に紫外線を照射することができる。図５に示すように、紫外線照射装置１はいわゆるつっぱり棒であるので、天井に近い部分に設置することができる。これにより、紫外線照射装置１は、床面全体に紫外線を照射することができる。よって、カビの発生しやすい床面には設置しなくて済むので、カビの発生を効果的に抑制することができる。
【００７３】
また、紫外線照射装置１は、様々な壁面の間に固定することができるので、所定の場所に重点的に紫外線を照射することができる。例えば、浴槽の内面を支持面３０１及び３０２として紫外線照射装置１を固定することで、浴槽内部に重点的に紫外線を照射し、カビの発生及び繁殖を抑制することができる。
【００７４】
また、例えば、図６に示すように、流し台の下の収納スペース４１０に紫外線照射装置１を配置することもできる。このとき、支持面３０１及び３０２は、収納スペース４１０の壁面である。収納スペース４１０には、排水が流れる配管４１１などが設けられているために、カビが発生し、繁殖しやすい場所である。収納スペース４１０内に紫外線照射装置１を配置することで、カビの発生及び繁殖を抑制することができる。
【００７５】
また、紫外線照射装置１は、つっぱり棒であるので、収納に利用することができる。例えば、予備のタオルなどをかけておくこともできる。あるいは、２本の紫外線照射装置１を所定の間隔を空けて水平に配置することで、当該２本の紫外線照射装置１の上にトレイなどを置くこともできる。
【００７６】
なお、図５及び図６では、紫外線照射装置１を横置きで配置する例を示したが、縦置きで配置してもよい。
【００７７】
［まとめ］
以上のように、本実施の形態に係る紫外線照射装置１は、２つの支持面３０１及び３０２を押圧することで支持される紫外線照射装置１であって、長尺状の筐体１０と、筐体１０に設けられた、紫外線を発する光源２０と、光源２０の発光及び非発光を切り替えるスイッチ３０とを備え、筐体１０は、長手方向に伸縮可能な本体部１１と、本体部１１の長手方向の両端にそれぞれ設けられ、２つの支持面３０１及び３０２のそれぞれを押圧する第１押圧部１２及び第２押圧部１３とを備える。
【００７８】
これにより、紫外線照射装置１はいわゆるつっぱり棒として、２つの支持面が存在する様々な場所に固定することができる。したがって、予め定められた設置場所以外の場所に紫外線照射装置１を比較的自由に固定することができるので、使用場所の選択の自由度を高めることができる。
【００７９】
また、例えば、紫外線照射装置１は、さらに、スイッチ３０が発光の操作をされてから所定期間経過後に光源２０を発光させる制御部２１０を備える。
【００８０】
これにより、スイッチ３０を操作してから所定期間は紫外線が照射されないので、スイッチ３０を操作した人物は、当該期間内に紫外線の照射範囲から離れることができる。したがって、紫外線による人体への悪影響を抑制することができるので、様々な場面で紫外線照射装置１を利用することができる。よって、使用態様の選択の自由度を高めることができる。
【００８１】
また、例えば、紫外線照射装置１は、さらに、人間の存在を検知するための人感センサ５０を備え、制御部２１０は、人感センサ５０が人間を検知した場合に、光源２０を非発光にする。
【００８２】
これにより、人感センサ５０によって周囲に人間が存在する場合に紫外線の照射を停止するので、人間に紫外線が浴びせられるのを抑制することができる。したがって、使用態様の選択の自由度を高めることができる。
【００８３】
また、例えば、紫外線照射装置１には、電池４０が取付可能であり、光源２０は、紫外線照射装置１に取り付けられた電池４０から電力が供給されることで、紫外線を発する。
【００８４】
これにより、近くに商用電源（具体的には、コンセント）がない場所であっても、紫外線照射装置１を設置することができる。よって、使用環境の選択の自由度を高めることができる。
【００８５】
また、例えば、光源２０は、長手方向に沿ってライン状に紫外線を発する。
【００８６】
これにより、所望の方向に紫外線を出射させることができるので、当該方向に重点的に紫外線を照射し、カビの発生及び繁殖を抑制することができる。
【００８７】
（変形例）
上記実施の形態では、紫外線照射装置１が発する紫外線は指向性を有さない例について示したが、これに限らない。本変形例に係る紫外線照射装置２のように、指向性を有する紫外線を照射してもよい。
【００８８】
図７は、本変形例に係る紫外線照射装置２の断面図である。
【００８９】
本変形例に係る紫外線照射装置２では、第１筒状部１１０の代わりに、第１筒状部１１０ａを備える。
【００９０】
第１筒状部１１０ａは、遮光性を有するＰＢＴ（ポリブチレンテレフタレート）、又は、アルミニウムなどの金属材料をなどから形成される。このため、第１筒状部１１０ａには、光源２０からの紫外線を取り出すための光出射部１１１が設けられている。これにより、紫外線照射装置２は、光源２０からの紫外線の取り出し方向を所定の方向に制限することができる。つまり、紫外線照射装置２は、指向性を有する紫外線を照射することができる。
【００９１】
これにより、光源２０から発せられた紫外線のうち、光出射部１１１を通過した紫外線のみが外部に取り出される。つまり、本実施の形態に係る紫外線照射装置２が照射する紫外線は、指向性を有し、所定の領域を集中的に照射することができる。例えば、紫外線の取り出し角（図７に示す照射範囲）は、約６０度である。
【００９２】
光出射部１１１は、例えば、透光性樹脂材料又はガラスなどから形成される。具体的には、光出射部１１１は、第１筒状部１１０ａの光源２０からの紫外線の出射方向に形成された開口を覆うように設けられたカバーである。開口は、例えば、第１筒状部１１０ａの長手方向に沿って形成されたスリット状の開口である。
【００９３】
あるいは、光出射部１１１は、第１筒状部１１０ａに形成されたスリット状の開口そのものでもよい。すなわち、スリット状の開口は、カバーで覆われていなくてもよい。
【００９４】
光出射部１１１は、第１筒状部１１０ａの長手方向に沿って設けられる。具体的には、光出射部１１１の側面視形状は、第１筒状部１１０ａの長手方向に長い長方形である。これにより、紫外線照射装置２は、ライン状に紫外線を照射することができる。あるいは、光出射部１１１は、略矩形若しくは略円形の複数の開口、又は、当該複数の開口を覆う複数のカバーであってもよい。複数の開口又は複数のカバーは、長手方向に沿って離散的に設けられていてもよい。
【００９５】
（その他）
以上、本発明に係る紫外線照射装置について、上記実施の形態及びその変形例に基づいて説明したが、本発明は、上記の実施の形態に限定されるものではない。
【００９６】
例えば、上記実施の形態では、紫外線照射装置１は、長手方向に沿ってライン状に発光するＬＥＤモジュールを光源２０として備える例について示したが、これに限らない。例えば、紫外線照射装置１は、光源２０として点光源を備えてもよい。つまり、紫外線照射装置１は、スポットライトのように狭い領域を集中的に照らしてもよい。
【００９７】
また、例えば、上記実施の形態では、紫外線照射装置１は、第１筒状部１１０の内部に光源２０を設けたが、これに限らない。光源２０は、第２筒状部１２０に設けられてもよく、第１筒状部１１０及び第２筒状部１２０の両方に設けられてもよい。あるいは、光源２０は、第１押圧部１２及び第２押圧部１３の少なくとも一方に設けてもよい。また、光源２０は、筐体１０の内部ではなく、筐体１０の外側面に設けられてもよい。
【００９８】
また、例えば、上記実施の形態では、スイッチ３０は、筐体１０の側面に設けたが、これに限らない。スイッチ３０は、筐体１０とは別体で設けられ、ケーブルなどで接続されていてもよい。つまり、スイッチ３０は、ケーブルなどを介して筐体１０に設けられていてもよい。また、スイッチ３０は、リモコンなどの無線信号を受信し、当該無線信号に応じて点灯及び消灯の操作を受け付けてもよい。
【００９９】
また、例えば、上記実施の形態では、紫外線照射装置１には電池４０が取り付け可能な例について示したが、これに限らない。紫外線照射装置１は、商用電源又は外部の蓄電池に接続可能でもよい。例えば、紫外線照射装置１は、商用電源に接続するためのＡＣプラグと、ＡＣプラグを介して受けた交流電力を直流電力に変換するための電源回路とを備えてもよい。
【０１００】
また、例えば、上記実施の形態では、２つの支持面３０１及び３０２が互いに平行である例について示したが、これに限らない。例えば、２つの支持面は、互いに直交していてもよい。具体的には、紫外線照射装置１は、天井と壁とのコーナー部分などに斜めに支持されてもよい。
【０１０１】
また、例えば、上記実施の形態では、筐体１０は直管状である例について示したが、これに限らない。筐体１０は、例えば、直管から分岐する分岐部を有してもよく、一例として、端部が二又以上に分かれていてもよい。
【０１０２】
また、例えば、上記実施の形態では、紫外線照射装置１は、ネジ固定式のつっぱり棒である例について示したが、上述したような付勢バネを備えるスプリング式のつっぱり棒でもよい。
【０１０３】
また、例えば、紫外線照射装置１は、発光素子としてＬＥＤ素子を例に説明したが、半導体レーザなどの半導体発光素子、有機ＥＬ（Ｅｌｅｃｔｒｏ  Ｌｕｍｉｎｅｓｃｅｎｃｅ）又は無機ＥＬなどの発光素子を用いてもよい。
【０１０４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０５】
１、２  紫外線照射装置
１０  筐体
１１  本体部
１２  第１押圧部
１３  第２押圧部
２０  光源
３０  スイッチ
４０  電池
５０  人感センサ
１１０、１１０ａ  第１筒状部
１１１  光出射部
１２０  第２筒状部
１３０  固定部
２００  発光部
２１０  制御部
２１１  計時部
２２０  電源部
２３０  操作部
２４０  検知部
３０１、３０２  支持面
【図１】
2016055237.tif 000003
【図２】
2016055237.tif 000004
【図３】
2016055237.tif 000005
【図４】
2016055237.tif 000006
【図５】
2016055237.tif 000007
【図６】
2016055237.tif 000008
【図７】
2016055237.tif 000009